(57)【要約】【課題】モータ駆動の際に発生する音を静音化する。【解決手段】ホール素子から出力されるロータの回転位置を示す正弦波信号が一方の入力端子に入力されるとともに、前記正弦波信号の反転信号が他方の入力端子に入力されることにより、コイルに電流を供給するための信号を出力する差動増幅回路、を有するモータ駆動回路において、前記差動増幅回路の電源電圧が大きくなるにつれて前記差動増幅回路の利得を大きくし、前記差動増幅回路の電源電圧が小さくなるにつれて前記差動増幅回路の利得を小さくする利得制御回路、を備えた。【選択図】      図１
2007037387.tif 000002
【特許請求の範囲】
【請求項１】
ホール素子から出力されるロータの回転位置を示す正弦波信号が一方の入力端子に入力されるとともに、前記正弦波信号の反転信号が他方の入力端子に入力されることにより、コイルに電流を供給するための信号を出力する差動増幅回路、を有するモータ駆動回路において、
前記差動増幅回路の電源電圧が大きくなるにつれて前記差動増幅回路の利得を大きくし、前記差動増幅回路の電源電圧が小さくなるにつれて前記差動増幅回路の利得を小さくする利得制御回路、
を備えたことを特徴とするモータ駆動回路。
【請求項２】
前記利得制御回路は、
前記差動増幅回路の電源電圧が印加されて動作し、前記電源電圧の変化に応じて前記差動増幅回路の電流源の電流量を可変とすることにより、前記差動増幅回路の利得を可変とする電流制御回路を有し、
前記電源電圧が大きくなるにつれて前記電流源の電流量を大きくし、前記電源電圧が小さくなるにつれて前記電流源の電流量を小さくする、ことを特徴とする請求項１に記載のモータ駆動回路。
【請求項３】
前記差動増幅回路は、第１差動増幅回路及び第２差動増幅回路として２つ設けられており、
前記第１差動増幅回路及び前記第２差動増幅回路の極性が互いに異なる一方の入力端子には、前記正弦波信号が入力され、
前記第１差動増幅回路及び前記第２差動増幅回路の極性が互いに異なる他方の入力端子には、前記正弦波信号の反転信号が入力され、
前記第１差動増幅回路の出力端子は、前記コイルの一端と接続され、
前記第２差動増幅回路の出力端子は、前記コイルの他端と接続されることを特徴とする請求項１または２に記載のモータ駆動回路。
【発明の詳細な説明】
【技術分野】
【０００１】
本発明は、モータ駆動回路に関する。
【背景技術】
【０００２】
各種電子機器は、概ね当該電子機器が動作する際に熱を発生する発熱体を有している。また、発熱体を有する電子機器には、発熱を冷却するためのファンモータ、およびファンモータを駆動するためのモータ駆動回路が設けられているものがある。例えばノート型パーソナルコンピュータでは、動作する際に発熱するＣＰＵ（Ｃｅｎｔｒａｌ  Ｐｒｏｃｅｓｓｉｇ  Ｕｎｉｔ）を冷却するためのファンモータ、および当該ファンモータを駆動するモータ駆動回路が設けられている。
【０００３】
前述のモータ駆動回路の駆動方式の１つとして、ＢＴＬ（ｂａｌａｎｃｅｄ  ｔｒａｎｃｅｆｏｍｅｒ  ｌｅｓｓ）駆動方式が知られている。図７は、単相モータ用且つＢＴＬ駆動方式の従来のモータ駆動回路を用いた全体構成を示すブロック図である（例えば、以下に示す特許文献１の図３を参照。）。なお、モータ駆動回路は、一般的に、ホール素子１００とコイル１３０を除き、同一チップ上に集積化された集積回路として提供される。ところで、三相ホールモータの場合は、三相分のコイル１３０がスター結線されるので、各相分のコイル１３０の一方の端子にのみ電流を供給すればよいため、各相のコイル１３０それぞれに対して、図７に示すホールアンプ１１０、１２０のうちいずれか一方のみを設ければよい。
【０００４】
図７に示すモータ駆動回路は、ホールアンプ１１０、１２０、抵抗１１２、１１４、１２２、１２４を有している。また、ホールアンプ１１０とホールアンプ１２０は、同じ利得で増幅を行う。さらに、電源電圧ＶＣＣは、例えばスイッチングレギュレータ（不図示）によって得られる、大きさが可変の電圧であることとする。
【０００５】
ホール素子１００は、例えばモータのステータの所定位置に固着され、ホールバイアス電圧ＶＨＢが印加されて動作する。ホールバイアス電圧ＶＨＢとしては、例えば、公知のバンドギャップ型基準電圧発生回路（不図示）から得られる温度変化の影響を受けることのない基準電圧が用いられる。そして、ホール素子１００は、モータのロータが回転している時、正弦波であり且つ互いに逆相となるホール素子出力Ｓ１、Ｓ２を生成する。尚、ホール素子出力Ｓ１、Ｓ２は、ロータの回転位置を示すものであり、その周波数は、モータの回転速度に比例する。
【０００６】
ホールアンプ１１０は、電源電圧ＶＣＣを電源として動作する。ホールアンプ１１０の非反転入力端子（以下、＋端子とする）には、ホール素子出力Ｓ１が入力され、ホールアンプ１１０の反転入力端子（以下、−端子とする）には、ホール素子出力Ｓ２が抵抗１１２を介して入力されとともに、当該ホールアンプ１１０のホールアンプ出力ＶＯＵＴ１が抵抗１１４を介して負帰還される。そして、ホールアンプ１１０は、ホール素子出力Ｓ１、Ｓ２の電位差を増幅した結果であるホールアンプ出力ＶＯＵＴ１を生成する。ホールアンプ出力ＶＯＵＴ１は、コイル１３０の一端に出力される。
【０００７】
ホールアンプ１２０は、電源電圧ＶＣＣを電源として動作する。ホールアンプ１２０の＋端子には、ホール素子出力Ｓ２が入力され、ホールアンプ１２０の−端子には、ホール素子出力Ｓ１が抵抗１２２を介して入力されるとともに当該ホールアンプ１２０のホールアンプ出力ＶＯＵＴ２が抵抗１２４を介して負帰還される。そして、ホールアンプ１２０は、ホール素子出力Ｓ１、Ｓ２の電位差を所定の利得で増幅した結果であるホールアンプ出力ＶＯＵＴ２を生成する。ホールアンプ出力ＶＯＵＴ２は、コイル１３０の他端に出力される。
【０００８】
次にモータ駆動回路の動作について説明する。図８は、図７に示すモータ駆動回路の動作を説明するための波形図である。なお、図８の横軸は時間を示している。
【０００９】
モータのロータが回転することにより、ホール素子１００から、図８に示すような正弦波のホール素子出力Ｓ１（実線）、およびホール素子出力Ｓ１と逆相のホール素子出力Ｓ２（破線）が出力される。ホール素子出力Ｓ１とホール素子出力Ｓ２の大小関係は、モータの回転に応じて、時刻ｔ１、ｔ２、ｔ３、ｔ４で切り替わる。なお、時刻ｔ１、ｔ２、ｔ３、ｔ４の期間は電気角１８０度に相当する。
【００１０】
ホールアンプ１１０およびホールアンプ１２０は、各々、＋端子と−端子との差を所定の利得で増幅して出力する。ここで、ホールアンプ１１０とホールアンプ１２０には、ホール素子出力Ｓ１とホール素子出力Ｓ２が逆の極性で入力されるため、ホールアンプ出力ＶＯＵＴ１（実線）とホールアンプ出力ＶＯＵＴ２（破線）は逆相になる。なお、図８に示すようにホールアンプ出力ＶＯＵＴ１とホールアンプ出力ＶＯＵＴ２の大小関係も、ホール素子出力Ｓ１、ホール素子出力Ｓ２と同様に時刻ｔ１、ｔ２、ｔ３、ｔ４で切り替わることになる。
【００１１】
つまり、コイル１３０の一端と他端には、ホールアンプ出力ＶＯＵＴ１、ホールアンプ出力ＶＯＵＴ２の電圧振幅の中点を中心として、相反する電圧が印加される。そして、コイル１３０には、ホールアンプ出力ＶＯＵＴ１とホールアンプ出力ＶＯＵＴ２の大きさの差に基づいた電流が流れることになる。例えば、時刻ｔ０〜ｔ１では、ホールアンプ出力ＶＯＵＴ１がホールアンプ出力ＶＯＵＴ２より大きいので、ホールアンプ１１０側からホールアンプ１２０側の方向（以下、正方向とする）に電流が流れる。また、時刻ｔ１〜ｔ２では、ホールアンプ出力ＶＯＵＴ２がホールアンプ出力ＶＯＵＴ１より大きいので、ホールアンプ１２０側からホールアンプ１１０側の方向（以下、負方向とする）に電流が流れる。そして、コイル１３０に流れる電流の方向が切り替わることによってモータが駆動することとなる。
【特許文献１】特開２００４−１６６３７９号公報
【発明の開示】
【発明が解決しようとする課題】
【００１２】
ホールアンプ１１０、１２０の利得は、それぞれ、ホールアンプ出力ＶＯＵＴ１、ホールアンプ出力ＶＯＵＴ２を大きくするため、例えば使用する電源電圧ＶＣＣの最大電圧に合わせて設定されている。つまり、電源電圧ＶＣＣを最大電圧よりも小さくした場合においても、ホールアンプ１１０およびホールアンプ１２０は前記利得で増幅を行うことになる。しかしながら、ホールアンプ１１０、１２０は、電源電圧ＶＣＣを電源として動作しているため、電源電圧ＶＣＣより大きい電圧を出力することができない。このことにより、ホールアンプ出力ＶＯＵＴ１、およびホールアンプ出力ＶＯＵＴ２は、電源電圧ＶＣＣを最大電圧より小さくした場合に、正弦波にならないことがある。
【００１３】
図９は、従来のホールアンプ１１０において、電源電圧ＶＣＣをＶＡ、ＶＢ、ＶＣ（ＶＡ＞ＶＢ＞ＶＣ）とした場合のホールアンプ出力ＶＯＵＴ１の変化を説明するための図である。図９において実線Ａ、実線Ｂ、実線Ｃはそれぞれ電源電圧ＶＣＣがＶＡ、ＶＢ、ＶＣのときのホールアンプ出力ＶＯＵＴ１を示している。なお、電源電圧ＶＣＣがＶＡ、ＶＢ、ＶＣの場合において、ホール素子１００から出力されるホール素子出力Ｓ１、ホール素子出力Ｓ２の大きさは同じであることとする。また、ホールアンプ１１０の利得は、図９における立ち上がりの傾きで表される。図９より電源電圧ＶＣＣがＶＡ、ＶＢ、ＶＣの場合において、利得は同じであることが分かる。
【００１４】
電源電圧ＶＣＣがＶＡの場合、ホールアンプ出力ＶＯＵＴ１は、ホール素子出力Ｓ１とホール素子出力Ｓ２に基づいた正弦波となっている。
【００１５】
電源電圧ＶＣＣがＶＢの場合にも、ホールアンプ１１０は、電源電圧ＶＣＣがＶＡの場合と同じ利得で入力信号の差を増幅する。しかし、ホールアンプ１１０は、電源電圧ＶＣＣより大きい電圧を出力することができないので、ホールアンプ出力ＶＯＵＴ１の最大値はＶＢ以下となる。図９において、電源電圧ＶＣＣがＶＢの場合におけるホールアンプ出力ＶＯＵＴ１の最大値をＶ１とする。なお、Ｖ１は、電源電圧ＶＣＣ（ＶＢ）より、例えば１ボルト低い電圧である。よって、図９に示す期間ｔｂの間、ホールアンプ出力ＶＯＵＴ１はＶ１で一定になる。
【００１６】
同様に、電源電圧ＶＣＣがＶＣの場合には、ホールアンプ出力ＶＯＵＴ１の最大値はＶＣ以下となる。図９において、電源電圧ＶＣＣがＶＣの場合におけるホールアンプ出力ＶＯＵＴ１の最大値をＶ２とする。なお、Ｖ２は、電源電圧ＶＣＣ（ＶＣ）より、例えば１ボルト低い電圧である。よって、図９に示す期間ｔｃの間、ホールアンプ出力ＶＯＵＴ１はＶ２で一定になる。以下、期間ｔｂおよび期間ｔｃのように出力電圧が一定となる期間のことを飽和期間と呼ぶことにする。図９に示すように飽和期間は、電源電圧ＶＣＣが小さくなるほど長くなる。
【００１７】
なお、電源電圧ＶＣＣの大きさがＶＡ、ＶＢ、ＶＣの場合におけるホールアンプ１２０のホールアンプ出力ＶＯＵＴ２は、図９に示すホールアンプ１１０のホールアンプ出力ＶＯＵＴ１と、それぞれ逆相になる。
【００１８】
このような飽和期間を有するホールアンプ出力ＶＯＵＴ１とホールアンプ出力ＶＯＵＴ２が、コイル１３０の一端と他端にそれぞれ印加された場合、モータの回転方向と逆向きのトルクが発生することがある。
【００１９】
図１０は、従来のモータ駆動回路において、通電の切り替わり時にコイル１３０に流れる電流について説明するための図である。
【００２０】
前述したように、ホール素子１００から出力されるホール素子出力Ｓ１、ホール素子出力Ｓ２は、逆相の正弦波である。そして、ホールアンプ１１０のホールアンプ出力ＶＯＵＴ１と、ホールアンプ１２０のホールアンプ出力ＶＯＵＴ２は、ホール素子出力Ｓ１、ホール素子出力Ｓ２に基づいて、電圧振幅の中点を中心として相反する電圧となる。
【００２１】
図１０において、時刻ｔＡまでは、ホールアンプ出力ＶＯＵＴ２の電圧の方がホールアンプ出力ＶＯＵＴ１の電圧より大きく、コイル１３０には負方向に電流が流れている。ホール素子出力Ｓ１、ホール素子出力Ｓ２の変化に伴い、時刻ｔＡでホールアンプ出力ＶＯＵＴ２の電圧が下降し始めるとともに、ホールアンプ出力ＶＯＵＴ１の電圧が上昇し始める。そして、時刻ｔＢでホールアンプ出力ＶＯＵＴ１の電圧とホールアンプ出力ＶＯＵＴ２の電圧の大小関係が逆転する。
【００２２】
しかし、コイル１３０は電流が流れていた方向に電流を流し続けようとするため、図１０に示す期間（ｔＡ〜ｔＢ）が短いと、ホールアンプ出力ＶＯＵＴ１の電圧とホールアンプ出力ＶＯＵＴ２の電圧の大小関係が逆転する時刻ｔＢでコイル１３０に流れる電流の方向を切り替えることができなくなる。例えば図１０では、時刻ｔＢにおいても負方向の電流が流れ続けており、時刻ｔＣでコイル１３０に流れる電流の向きが切り替わることになる。
【００２３】
つまり、時刻ｔＢ〜ｔＣ間では、モータを回転させる方向とは逆方向の電流がコイル１３０に流れていることになり、モータの回転と逆向きのトルクが発生していることになる。そして、この逆向きのトルクによってモータ駆動の際に騒音が発生することとなる。なお、この逆向きのトルクは、期間（ｔＡ〜ｔＢ）が短いほど（飽和期間が長いほど）発生しやすくなる。つまり、電源電圧を小さくするほど、逆向きのトルクによる騒音が発生することになる。
【００２４】
このように、従来のモータ駆動回路では、電源電圧ＶＣＣを小さくするのに従い、モータの回転と逆向きのトルクが発生し、モータ駆動の際に騒音が発生するという問題点があった。そこで、本発明は、モータ駆動の際に発生する音を静音化することができるモータ駆動回路を提供することを目的とする。
【課題を解決するための手段】
【００２５】
前記課題を解決するための主たる発明は、ホール素子から出力されるロータの回転位置を示す正弦波信号が一方の入力端子に入力されるとともに、前記正弦波信号の反転信号が他方の入力端子に入力されることにより、コイルに電流を供給するための信号を出力する差動増幅回路、を有するモータ駆動回路において、前記差動増幅回路の電源電圧が大きくなるにつれて前記差動増幅回路の利得を大きくし、前記差動増幅回路の電源電圧が小さくなるにつれて前記差動増幅回路の利得を小さくする利得制御回路、を備えたことを特徴とする。
【発明の効果】
【００２６】
本発明によれば、モータ駆動の際に発生する音を静音化することができる。
【発明を実施するための最良の形態】
【００２７】
本明細書および添付図面の記載により、少なくとも以下の事項が明らかとなる。
【００２８】
＝＝＝モータ駆動回路の構成＝＝＝
図２を参照しつつ、本発明のモータ駆動回路の構成について説明する。図２は、本発明のモータ駆動回路を用いた全体構成の一例を示すブロック図である。なお、モータ駆動回路は、一般的に、ホール素子１００とコイル１３０を除き、同一チップ上に集積化された集積回路として提供される。ところで、三相モータの場合は、三相分のコイル１３０がスター結線されるので、各相分のコイル１３０の一方の端子にのみ電流を供給すればよいため、各相のコイル１３０それぞれに対して、図７に示すホールアンプ１６０、１７０のうちいずれか一方のみを設ければよい。
【００２９】
ホール素子１００は、例えばモータのステータの所定位置に固着され、ホールバイアス電圧ＶＨＢが印加されて動作する。ホールバイアス電圧ＶＨＢとしては、例えば、公知のバンドギャップ型基準電圧発生回路（不図示）から得られる温度変化の影響を受けることのない基準電圧が用いられる。そして、ホール素子１００は、モータのロータが回転している時、正弦波であり且つ互いに逆相となるホール素子出力Ｓ１、Ｓ２を生成する。尚、ホール素子出力Ｓ１、Ｓ２は、ロータの回転位置を示すものであり、その周波数は、モータの回転速度に比例する。
【００３０】
ホールアンプ１６０（『第１差動増幅回路』）は、後述する利得制御回路２００を有している。ホールアンプ１６０の＋端子には、ホール素子出力Ｓ１（『正弦波信号』）が入力され、ホールアンプ１６０の−端子には、ホール素子出力Ｓ２（『正弦波信号の反転信号』）が入力される。ホールアンプ１６０の出力端子はコイル１３０の一端と接続されている。そして、ホールアンプ１６０は、ホール素子出力Ｓ１、Ｓ２の電位差を増幅させた結果であるホールアンプ出力ＶＯＵＴ１（『コイルに電流を供給するための信号』）をコイル１３０の一端に出力する。
【００３１】
ホールアンプ１７０（『第２差動増幅回路』）は、後述する利得制御回路２００を有している。ホールアンプ１７０の＋端子には、ホール素子出力Ｓ２が入力され、ホールアンプ１７０の−端子には、ホール素子出力Ｓ１が入力される。ホールアンプ１７０の出力端子はコイル１３０の他端と接続されている。そして、ホールアンプ１７０は、ホール素子出力Ｓ１、Ｓ２の電位差を増幅させた結果であるホールアンプ出力ＶＯＵＴ２をコイル１３０の他端に出力する。
【００３２】
なお、ホールアンプ１６０とホールアンプ１７０は同一構成とすることができる。よって以下の説明ではホールアンプ１６０について説明し、ホールアンプ１７０の説明を省略する。
【００３３】
図１は本発明にかかるホールアンプ１６０の構成の一例を示す回路図である。  
ホールアンプ１６０は、利得制御回路２００、差動増幅回路３００を有している。  
利得制御回路２００は、電源電圧ＶＣＣの大きさに依存する電流Ｉを発生する。  
差動増幅回路３００は、電流Ｉが供給されて動作し、ホール素子出力Ｓ１とホール素子出力Ｓ２の差を増幅したホールアンプ出力ＶＯＵＴ１を出力する。
【００３４】
≪利得制御回路≫
以下、図１および図３を参照しつつ利得制御回路２００の構成および動作について説明する。
【００３５】
図１に示す利得制御回路２００は、ＰＮＰ型バイポーラトランジスタ（以下、ＰＮＰトランジスタとする）２０２、２０４、２１２、ＮＰＮ型バイポーラトランジスタ（以下、ＮＰＮトランジスタとする）２０６、抵抗２０８、２１０、２１４、２１６を有している。
【００３６】
ＰＮＰトランジスタ２０２のエミッタには電源電圧ＶＣＣが印加され、ＰＮＰトランジスタ２０２のコレクタは、差動増幅回路３００のＰＮＰトランジスタ１４０のエミッタとＰＮＰトランジスタ１４２のエミッタに共通に接続されている。  
ＰＮＰトランジスタ２０４のエミッタには電源電圧ＶＣＣが印加され、ＰＮＰトランジスタ２０４のコレクタはＮＰＮトランジスタ２０６のコレクタと接続されている。また、ＰＮＰトランジスタ２０４のベースは、当該ＰＮＰトランジスタ２０４のコレクタと接続されるとともに、ＰＮＰトランジスタ２０２のベースと接続されている。従って、ＰＮＰトランジスタ２０２とＰＮＰトランジスタ２０４とは、電流ミラー回路を構成しており、トランジスタサイズ比が等しいとすると、ＰＮＰトランジスタ２０２は、ＰＮＰトランジスタ２０４のコレクタ電流と等倍のコレクタ電流を流そうとする。なお、ＰＮＰトランジスタ２０２が、差動増幅回路３００の電流源となる。
【００３７】
ＮＰＮトランジスタ２０６のエミッタ（ａ点とする）は抵抗２０８を介して接地ＶＳＳされ、ＮＰＮトランジスタ２０６のベースはＰＮＰトランジスタ２１２のエミッタ（ｃ点とする）と接続されている。
【００３８】
ＰＮＰトランジスタ２１２のコレクタは接地ＶＳＳされ、ＰＮＰトランジスタ２１２のベースは、電源電圧ＶＣＣと接地ＶＳＳとの間に直列接続された抵抗２１４と抵抗２１６の接続点（ｂ点とする）に接続されている。  
抵抗２１０は、電源電圧ＶＣＣとｃ点との間に接続されている。  
なお、ＮＰＮトランジスタ２０６、ＰＮＰトランジスタ２１２、抵抗２０８、２１０、２１４、２１６は電流制御回路を構成している。
【００３９】
次に、利得制御回路２００の動作について説明する。抵抗２１４の抵抗値をＲ１とし、抵抗２１６の抵抗値Ｒ２とするとｂ点の電圧Ｖｂは、
Ｖｂ＝ＶＣＣ×Ｒ２／（Ｒ１＋Ｒ２）
となる。ＰＮＰトランジスタ２１２は、ベースーエミッタ間電圧が閾値より大となることによってオンし、ｃ点の電圧ＶｃはＶｂ＋ＶＢＥとなる。なおＶＢＥはベース−エミッタ間電圧である。
【００４０】
また、ＮＰＮトランジスタ２０６は、ベースーエミッタ間電圧が閾値より大となることによってオンし、ａ点の電圧Ｖａは、Ｖｃ−ＶＢＥとなる。前述のようにＶｃは、Ｖｂ＋ＶＢＥなので、ＶａはＶｂとほぼ等しくなる。
【００４１】
さらに、ＮＰＮトランジスタ２０６がオンすることによって、電流ミラー回路を構成するＰＮＰトランジスタ２０２、２０４が共にオンする、そしてＰＮＰトランジスタ２０２は、ＰＮＰトランジスタ２０４と等倍のコレクタ電流を流そうとする。このコレクタ電流をＩとし、抵抗２０８の抵抗値をＲ３とすると、電流Ｉは、
Ｉ＝Ｖａ／Ｒ３＝ＶＣＣ×Ｒ２／｛（Ｒ１＋Ｒ２）×Ｒ３｝
となる。つまり、電流Ｉは電源電圧ＶＣＣに依存して変化することになる。
【００４２】
図３は、電流Ｉと電源電圧ＶＣＣとの関係を説明するための図である。図３の横軸は電源電圧ＶＣＣの大きさを示し、縦軸は電流Ｉの大きさを示している。  
図３より、電流Ｉが電源電圧ＶＣＣの大きさに応じて変化していることがわかる。例えば、電源電圧ＶＣＣがＶＡ、ＶＢ、ＶＣと小さくなるにつれて電流Ｉも低下している。なお、図３に示すＶＤは、例えばトランジスタが動作するために必要な電圧である。
【００４３】
≪差動増幅回路≫
差動増幅回路３００は、ＰＮＰ型バイポーラトランジスタ（以下、ＰＮＰトランジスタとする）１４０、１４２、抵抗１５０、１５２、差動アンプ１８０を有している。  
ＰＮＰトランジスタ１４０のベースには、ホール素子出力Ｓ１が印加され、ＰＮＰトランジスタ１４０のコレクタは、抵抗１５０を介して接地ＶＳＳされている。  
ＰＮＰトランジスタ１４２のベースには、ホール素子出力Ｓ２が印加され、ＰＮＰトランジスタ１４２のコレクタは、抵抗１５２を介して接地ＶＳＳされている。なお、抵抗１５０と抵抗１５２の抵抗値は等しいこととする。  
差動アンプ１８０は、電源電圧ＶＣＣを電源として動作する一定利得の増幅回路である。差動アンプ１８０の＋端子はＰＮＰトランジスタ１４２のコレクタと接続され、差動アンプ１８０の−端子はＰＮＰトランジスタ１４０のコレクタと接続されている。そして、差動アンプ１８０は、＋端子と−端子の差を一定利得で増幅したホールアンプ出力ＶＯＵＴ１を出力する。
【００４４】
次に差動増幅回路３００の動作について説明する。  
ホール素子出力Ｓ１がホール素子出力Ｓ２よりも大の場合には、ＰＮＰトランジスタ１４２のコレクタ電流の方がＰＮＰトランジスタ１４０のコレクタ電流より大きくなる。従って、差動アンプ１８０の＋端子の電圧が−端子の電圧より大きくなり、ホールアンプ出力ＶＯＵＴ１は上昇する。  
一方、ホール素子出力Ｓ１がホール素子出力Ｓ２よりも小の場合には、ＰＮＰトランジスタ１４０のコレクタ電流の方がＰＮＰトランジスタ１４２のコレクタ電流より大きくなる。従って、差動アンプ１８０の＋端子の電圧が−端子の電圧より小さくなり、ホールアンプ出力ＶＯＵＴ１は下降する。
【００４５】
ここで、抵抗１５０と抵抗１５２の抵抗値をＲ４とすると、差動アンプ１８０の入力端子（＋端子、−端子）までの利得は、Ｉ×Ｒ４／２Ｖｔとなる。なお、Ｖｔは熱電圧でありＴ×Ｋ／ｑ（Ｔ：絶対温度、Ｋ：ボルツマン定数、ｑ：電荷）である。よって、温度が一定であると仮定すると、差動アンプ１８０の利得は一定なので、差動増幅回路３００の利得は電流Ｉに依存することになる。さらに、電流Ｉは、電源電圧ＶＣＣに依存して変化するため、差動増幅回路３００の利得は電源電圧ＶＣＣに依存することになる。
【００４６】
図４は、差動増幅回路３００の利得と電源電圧ＶＣＣの関係を説明するための図である。図４の横軸は電源電圧ＶＣＣの大きさを示し、縦軸は利得の大きさを示している。図４に示すように、差動増幅回路３００の利得は、電源電圧ＶＣＣが大きくなるにつれて大きくなる。図４より、電源電圧ＶＣＣがＶＡのときの利得よりも、電源電圧ＶＣＣがＶＢのときの利得の方が小さいことが分かる。また、電源電圧ＶＣＣがＶＢのときの利得よりも電源電圧ＶＣＣがＶＣのときの利得の方が小さいことが分かる。このように差動増幅回路３００の利得は電源電圧ＶＣＣが大きくなるにつれて大きくなり、電源電圧ＶＣＣが小さくなるにつれて小さくなる。
【００４７】
図５は、本発明のモータ駆動回路において、電源電圧ＶＣＣをＶＡ、ＶＢ、ＶＣ（ＶＡ＞ＶＢ＞ＶＣ）とした場合のホールアンプ出力ＶＯＵＴ１の変化を説明するための図である。図５において実線Ａ、実線Ｂ、実線Ｃはそれぞれ電源電圧ＶＣＣがＶＡ、ＶＢ、ＶＣのときのホールアンプ出力ＶＯＵＴ１を示している。なお、電源電圧ＶＣＣがＶＡ、ＶＢ、ＶＣの場合において、ホールアンプ１６０に入力されるホール素子出力Ｓ１、ホール素子出力Ｓ２の大きさは同じであることとする。なお、ホールアンプ１６０の利得は、例えば図５における立ち上がりの傾きで表される。
【００４８】
図５より、電源電圧ＶＣＣの大きさに応じて利得が変化していることが分かる。例えば、電源電圧ＶＣＣがＶＡのときの傾きよりもＶＢのときの傾きの方が小さくなっている。このことにより、電源電圧ＶＣＣがＶＢの場合の飽和期間ｔｂ′は、図９に示す従来のモータ駆動回路の飽和期間ｔｂよりも短くなる。
【００４９】
同様に電源電圧ＶＣＣがＶＢのときの傾きよりもＶＣのときの傾きの方が小さくなっている。このことにより、電源電圧ＶＣＣがＶＣの場合の飽和期間ｔｃ′は、図９に示す従来のモータ駆動回路の飽和期間ｔｃよりも短くなる。
【００５０】
図６は、本発明のモータ駆動回路において、通電の切り替わり時にコイル１３０に流れる電流について説明するための図である。なお、図６において電源電圧ＶＣＣは、図１０の電源電圧ＶＣＣと同じ大きさであるものとする。
【００５１】
前述したように、ホール素子１００から出力されるホール素子出力Ｓ１、ホール素子出力Ｓ２は、逆相の正弦波である。そして、ホールアンプ出力ＶＯＵＴ１とホールアンプ出力ＶＯＵＴ２は、電圧振幅の中点を中心として相反する電圧となる。
【００５２】
図６において、時刻ｔＡ′までは、ホールアンプ出力ＶＯＵＴ２の電圧の方がホールアンプ出力ＶＯＵＴ１の電圧より大きく、コイル１３０には負方向に電流が流れている。そして、時刻ｔＡ′でホールアンプ出力ＶＯＵＴ２が下降し始めるとともに、ホールアンプ出力ＶＯＵＴ１が上昇し始め、時刻ｔＢでホールアンプ出力ＶＯＵＴ１の電圧とホールアンプ出力ＶＯＵＴ２の電圧の大小関係が逆転する。そして、時刻ｔＣ′でコイルに流れる電流が切り替わる。
【００５３】
本発明のモータ駆動回路では、図５に示すように電源電圧ＶＣＣが小さくなるにつれてホールアンプ出力ＶＯＵＴ１の立ち上がりの傾きが緩やかになり、飽和期間を従来のモータ駆動回路よりも短くすることができる。よって、期間（ｔＡ′〜ｔＢ）を、図１０に示す従来の期間（ｔＡ〜ｔＢ）よりも長くすることができる。このことにより、ホールアンプ出力ＶＯＵＴ１とホールアンプ出力ＶＯＵＴ２の大小関係が切り替わる時刻ｔＢにおける負方向の電流を従来よりも小さくすることができ、さらに、期間（ｔＢ〜ｔＣ′）を従来の期間（ｔＢ〜ｔＣ）よりも短くすることができる。従って、モータの回転と逆向きのトルクが発生することを抑えることができる。
【００５４】
以上、説明したように、本発明のモータ駆動回路は、電源電圧ＶＣＣが小さくなるにつれてホールアンプ１６０、１７０の利得を小さくすることにより、飽和期間を短くすることができる。よって、モータ駆動の際に発生する音を静音化することができる。
【００５５】
また、図１のａ点の電圧は電源電圧ＶＣＣを抵抗分割したｂ点の電圧とほぼ等しくなり、このａ点の電圧によって電流ミラー回路を構成するＰＮＰトランジスタ２０２、２０４に流れる電流Ｉの大きさを制御することができる。
【００５６】
また、ＢＴＬ駆動方式とすることで効果的にモータ駆動の際に発生する音を静音化することができる。
【００５７】
以上、本実施の形態について説明したが、前述した実施例は、本発明の理解を容易にするためのものであり、本発明を限定して解釈するためのものではない。本発明は、その趣旨を逸脱することなく、変更／改良され得るとともに、本発明にはその等価物も含まれる。
【図面の簡単な説明】
【００５８】
【図１】本発明の実施形態に係るホールアンプの構成の一例を示す回路図である。
【図２】本発明の実施形態に係るモータ駆動回路を用いた全体構成を示すブロック図である。
【図３】本発明の実施形態に係る利得制御回路の出力について説明する図である。
【図４】本発明の実施形態に係るホールアンプの利得を示す図である。
【図５】本発明の実施形態に係るホールアンプ出力の変化を説明するための図である。
【図６】本発明の実施形態に係る通電の切り替わり時にコイルに流れる電流について説明するための図である。
【図７】従来のモータ駆動回路を用いた全体構成を示すブロック図である。
【図８】従来のモータ駆動回路の動作を説明するための波形図である。
【図９】従来のホールアンプ出力の変化を説明するための図である。
【図１０】従来のモータ駆動装置において通電の切り替わり時にコイルに流れる電流について説明するための図である。
【符号の説明】
【００５９】
１００  ホール素子
１３０  コイル
１１０、１２０  ホールアンプ
１６０、１７０  ホールアンプ
１１２、１１４  抵抗
１２２、１２４  抵抗
１５０、１５２  抵抗
２０８、２１０  抵抗
２１４、２１６  抵抗
１４０、１４２  ＰＮＰトランジスタ
１４４、１４６、２０６  ＮＰＮトランジスタ
２０２、２０４、２１２  ＰＮＰトランジスタ
１８０  差動アンプ
２００  利得制御回路
３００  差動増幅回路
【図１】
2007037387.tif 000003
【図２】
2007037387.tif 000004
【図３】
2007037387.tif 000005
【図４】
2007037387.tif 000006
【図５】
2007037387.tif 000007
【図６】
2007037387.tif 000008
【図７】
2007037387.tif 000009
【図８】
2007037387.tif 000010
【図９】
2007037387.tif 000011
【図１０】
2007037387.tif 000012